(57)【要約】【課題】ユーザにとって利便性の高い状態で多面的かつ的確に得られるユーザの身体状態を最大限活用する。【解決手段】ユーザの身体状態を検出する入力部（３）と、入力部が検出したユーザの身体状態を示す身体状態情報に応じて決定されたフィードバック情報に基づいて、ユーザの身体状態に対応する機能を実行する機能実行部（４４）と、を備える。【選択図】図１
2015153102.tif 000002
【特許請求の範囲】
【請求項１】
耳に装着される耳装着型装置であって、
ユーザの身体状態を検出する検出手段と、
上記検出手段が検出した上記ユーザの身体状態を示す身体状態情報に応じて決定されたフィードバック情報に基づいて、上記ユーザの身体状態に対応する機能を実行する機能実行手段と、を備えることを特徴とする耳装着型装置。
【請求項２】
上記検出手段が検出した上記ユーザの身体状態を示す身体状態情報を、外部装置に送信する送信手段と、
外部装置により決定された、上記身体状態情報に応じたフィードバック情報を受信する受信手段と、を備えることを特徴とする請求項１に記載の耳装着型装置。
【請求項３】
上記検出手段は、上記ユーザの身体状態として、上記ユーザの外耳の動きに係る状態を検出するものであり、
上記フィードバック情報は、上記検出手段が検出した外耳の動きに係る状態から推定された生活リズムを用いて決定されたものであり、
上記機能実行手段は、上記フィードバック情報に基づいて、上記ユーザの生活リズムに対応する機能を実行することを特徴とする請求項２に記載の耳装着型装置。
【請求項４】
上記検出手段が上記ユーザの身体状態として検出した外耳の動きに係る状態から、上記ユーザの生活リズムを推定する推定手段と、
上記推定手段が推定した生活リズムに対応するフィードバック情報を決定するフィードバック情報決定手段と、を備えることを特徴とする請求項１に記載の耳装着型装置。
【請求項５】
上記推定手段は、上記外耳の動きに係る状態を示す計測データについて、所定の許容範囲内に含まれているか否かの判定を行い、当該許容範囲に含まれる計測データの時間的変化量に基づき、上記ユーザの生活リズムを推定することを特徴とする請求項４に記載の耳装着型装置。
【請求項６】
上記推定手段は、さらに、所定時間内の上記時間的変化量に係る平均値と分散とに基づく値である生活特徴量を用いて上記ユーザの生活リズムを推定することを特徴とする請求項５に記載の耳装着型装置。
【請求項７】
上記推定手段は、さらに、異なる日の同時刻に係る上記生活特徴量を足し合わることで、一定期間における生活リズムデータを算出し、その生活リズムデータに基づいて、上記ユーザの生活リズムを推定することを特徴とする請求項６に記載の耳装着型装置。
【請求項８】
上記検出手段が検出した上記ユーザの身体状態が、上記ユーザが上記機能実行手段による機能の実行を意図した操作を行った状態であることを判定する操作状態判定手段を備え、
上記機能実行手段は、上記操作状態判定手段が判定した状態に対応する機能を実行することを特徴とする請求項１から４のいずれか１項に記載の耳装着型装置。
【請求項９】
請求項８に記載の耳装着型装置の構成を備える第１耳装着型装置と、
上記第１耳装着型装置と通信可能であって、請求項８に記載の耳装着型装置の構成を備える第２耳装着型装置とを含む、耳装着型装置セットであって、
上記第１耳装着型装置は、
上記第２耳装着型装置に備えられた操作状態判定手段により判定された、上記第２耳装着型装置のユーザが意図した操作を行った状態であることを示す情報を受信する受信手段と、
上記受信手段が受信した上記状態を示す情報を、所定の信号に変換する変換手段とを備え、
上記第１耳装着型装置の機能実行手段は、さらに、上記第１耳装着型装置の変換手段が変換した信号に対応する機能を実行することを特徴とする耳装着型装置セット。
【請求項１０】
耳に装着される耳装着型装置にて検出されたユーザの身体状態を示す身体状態情報を受信する受信手段と、
上記受信手段が受信した上記身体状態情報に応じたフィードバック情報を決定するフィードバック情報決定手段と、
上記フィードバック情報決定手段が決定したフィードバック情報を、外部装置に送信する送信手段と、を備えることを特徴とするサーバ。
【請求項１１】
上記受信手段が上記身体状態情報として受信した、上記ユーザの外耳の動きに係る状態を示す情報から、上記ユーザの生活リズムを推定する推定手段と、
上記推定手段が推定した生活リズムに対応するフィードバック情報を決定するフィードバック情報決定手段と、を備えることを特徴とする請求項１０に記載のサーバ。
【請求項１２】
上記推定手段は、上記外耳の動きに係る状態を示す計測データについて、所定の許容範囲内に含まれているか否かの判定を行い、当該許容範囲に含まれる計測データの時間的変化量に基づき、上記ユーザの生活リズムを推定することを特徴とする請求項１１に記載のサーバ。
【請求項１３】
上記推定手段は、さらに、所定時間内の上記時間的変化量に係る平均値と分散とに基づく値である生活特徴量を用いて上記ユーザの生活リズムを推定することを特徴とする請求項１２に記載のサーバ。
【請求項１４】
上記推定手段は、さらに、異なる日の同時刻に係る上記生活特徴量を足し合わることで、一定期間における生活リズムデータを算出し、その生活リズムデータに基づいて、上記ユーザの生活リズムを推定することを特徴とする請求項１３に記載のサーバ。
【請求項１５】
上記受信手段は、障がい者の身体状態を示す身体状態情報を受信するものであり、
上記フィードバック情報決定手段は、上記障がい者の身体状態を示す身体状態情報に応じて、上記障がい者の安全を確保するためのフィードバック情報を決定することを特徴とする請求項１０に記載のサーバ。
【請求項１６】
耳に装着される耳装着型装置にて検出されたユーザの身体状態を示す身体状態情報を受信する受信ステップと、
上記受信ステップにて受信された上記身体状態情報に応じて決定されたフィードバック情報に基づいて、上記ユーザの身体状態に対応する機能を実行する機能実行ステップとを、コンピュータに実行させることを特徴とするプログラム。
【請求項１７】
耳に装着される耳装着型装置と、当該耳装着型装置と通信可能なサーバとから構成される情報提供システムであって、
上記耳装着型装置は、
ユーザの身体状態を検出する検出手段と、
上記検出手段が検出した上記ユーザの身体状態を示す身体状態情報を、外部装置に送信する送信手段と、を備え、
上記サーバは、
上記送信手段により送信された上記身体状態情報を受信する受信手段と、
上記受信手段が受信した上記身体状態情報に応じたフィードバック情報を決定するフィードバック情報決定手段と、
上記フィードバック情報決定手段が決定したフィードバック情報、および上記身体状態情報の少なくとも一方を蓄積する情報蓄積部と、を備えていることを特徴とする情報提供システム。
【請求項１８】
耳に装着される耳装着型装置と、当該耳装着型装置と通信可能なサーバとから構成される情報提供システムであって、
上記耳装着型装置は、
ユーザの身体状態として上記ユーザの外耳の動きに係る状態を検出する検出手段と、
上記ユーザの外耳の動きに係る状態を示す情報をユーザの身体状態を示す身体状態情報として外部装置に送信する送信手段とを備え、
上記サーバは、
上記送信手段により送信された上記身体状態情報を受信する受信手段と、
上記受信手段が受信した上記身体状態情報により示される上記ユーザの外耳の動きに係る状態から、上記ユーザの生活リズムを推定する推定手段と、
上記推定手段が推定した生活リズムに対応するフィードバック情報を決定するフィードバック情報決定手段と、
上記フィードバック情報、および上記身体状態情報の少なくとも一方を外部装置に送信する送信手段と、を備えていることを特徴とする情報提供システム。
【請求項１９】
上記受信手段は、障がい者の身体状態を示す身体状態情報を受信するものであり、
上記フィードバック情報決定手段は、上記障がい者の身体状態を示す身体状態情報に応じて、上記障がい者の安全を確保するためのフィードバック情報を決定することを特徴とする請求項１７または１８に記載の情報提供システム。
【発明の詳細な説明】
【技術分野】
【０００１】
本発明は耳装着型装置、耳装着型装置セット、サーバ、プログラムおよび情報提供システムに関する。
【背景技術】
【０００２】
既に実用化されているウェアラブルコンピュータとしては、メガネ型や腕時計型のウェアラブルコンピュータが存在する（例えば、特許文献１参照）。このようなメガネ型や腕時計型のウェアラブルコンピュータについては、ユーザが操作時に視線をコンピュータに向ける必要があったり、あるいは手を使う必要があり、日常生活におけるユーザの自然な動作を妨げてしまう可能性があった。
【０００３】
そこで、本発明者らは、鋭意研究の結果、アイズフリーな状態（視線をコンピュータに向ける必要がない）かつハンズフリーな状態（手を使う必要がない）で操作できる、耳に装着するタイプのウェアラブルコンピュータを開発した。
【先行技術文献】
【特許文献】
【０００４】
【特許文献１】特開２０１３−２４３５１４号公報（２０１３年１２月５日公開）
【発明の概要】
【発明が解決しようとする課題】
【０００５】
上述のような耳に装着するタイプのウェアラブルコンピュータは、アイズフリーかつハンズフリーな状態で操作でき利便性の高いものであるとともに、ユーザの身体状態（体温、脈拍、せきやくしゃみによる顔の筋肉の動き等）を多面的かつ的確に検出し得るものである。このように多面的かつ的確に検出された身体状態については、種々のサービスやアプリケーションに適用し得る可能性を有しているものの、従来技術においては、まだまだ十分に活用しきれていないという問題点があった。
【０００６】
本発明は、上記従来の問題点に鑑み、ユーザにとって利便性の高い状態で多面的かつ的確に得られるユーザの身体状態を最大限活用し得る耳装着型装置、耳装着型装置セット、サーバ、情報提供システムおよびプログラムを提供することを目的とするものである。
【課題を解決するための手段】
【０００７】
上記の課題を解決するために、本発明の一態様に係る耳装着型装置は、耳に装着される耳装着型装置であって、ユーザの身体状態を検出する検出手段と、上記検出手段が検出した上記ユーザの身体状態を示す身体状態情報に応じて決定されたフィードバック情報に基づいて、上記ユーザの身体状態に対応する機能を実行する機能実行手段と、を備える。
【発明の効果】
【０００８】
本発明に係る耳装着型装置は、検出手段により、ユーザの身体状態を多面的かつ的確に検出することができる。したがって、機能実行手段により実行される機能についても、検出手段により多面的かつ的確に検出されたユーザの身体状態に応じて、バリエーション豊富でなおかつユーザの身体状態に的確に整合したものとできる。これにより、ユーザにとって利便性の高い状態で多面的かつ的確に得られるユーザの身体状態を最大限活用することができる。
【図面の簡単な説明】
【０００９】
【図１】本発明の一実施形態に係る情報提供システムの要部構成の一例を示すブロック図である。
【図２】本発明の一実施形態に係る耳装着型装置の概要の一例を示す図である。
【図３】本発明の一実施形態に係る情報提供システムの処理の一例を示すフローチャートである。
【図４】図１における外耳道入力部をユーザの外耳道に挿入した状態の一例を示す図である。
【図５】ユーザの生活リズムに関するデータを示したグラフである。
【図６】図３におけるＳ２２の処理の一例を示すフローチャートである。
【図７】本発明の一実施形態に係る情報提供システムの処理の一例を示すフローチャートである。
【図８】本発明の一実施形態に係る耳装着型セットの要部構成の一例を示すブロック図である。
【図９】本発明の一実施形態に係る耳装着型装置セットにおける処理の一例を示すフローチャートである。
【図１０】本発明の一実施形態に係る耳装着型装置が検出したユーザの身体状態を示す身体状態情報と、ユーザの身体状態情報に基づいて決定されるフィードバック情報とが蓄積される処理の一例を示すフローチャートである。
【図１１】本発明の一実施形態に係る、障がい者を支援するための情報提供システムの要部構成の一例を示すブロック図である。
【図１２】本発明の一実施形態に係る情報提供システムが障がい者を支援する処理の一例を示すフローチャートである。
【発明を実施するための形態】
【００１０】
以下、本発明の実施の形態について、詳細に説明する。
【００１１】
（概要）
図２は、本発明の一実施形態に係る耳装着型装置１の概要の一例を示す図である。図２の（ａ）は、耳装着型装置１の外観の一例を示す図である。図２の（ａ）に示される耳装着型装置１は、ユーザの右耳に掛けるようにして、ユーザに装着される。耳装着型装置１は、耳殻内側部１１、および耳殻外側部１２を含む。耳殻内側部１１と耳殻外側部１２との間には、ユーザの耳に掛けるための弾性部材が備えられている。耳殻内側部１１は、ユーザの外耳道の開口部分を塞ぐ状態で装着される。耳殻外側部１２は、ユーザの耳殻の裏側に位置する状態で装着される。
【００１２】
耳殻内側部１１、および耳殻外側部１２には、装飾が施されていてもよい。例えば、図２の（ａ）に示されるように、人工ダイヤモンド１３が埋め込まれていてもよいし、花を表現した絵（不図示）が施されていてもよい。
【００１３】
また、図２の（ａ）に示される耳装着型装置１の形状は、勾玉をモチーフにした形状である。この他にも、耳装着型装置１の形状として、耳殻内側部１１は桜の花を模した形状とし、耳殻外側部１２は満開の桜の花から舞う花びらを模した形状でもよい（不図示）。
【００１４】
また、耳装着型装置１は、ユーザの片耳に装着されてもよいし、ユーザの両耳に装着されてもよい。図２の（ｂ）に示す耳装着型装置１ａは、ユーザの左耳に装着される形状である。
【００１５】
図２の（ｂ）は、耳装着型装置の通信先の一例を示す図である。図２の（ｂ）に示されるように、耳装着型装置１ａは、複数の外部装置と通信可能である。例えば、耳装着型装置１ａは、サーバ２、外部装置１０、耳装着型装置１ｂおよび他の外部装置と、直接通信する。耳装着型装置１ａと通信可能なサーバ２は、外部装置１０、外部装置１０とは異なる外部装置１４および第３者機関の端末と通信可能である。なお、外部装置１０および外部装置１４は、例えば、携帯端末（タブレット端末、スマートフォンなど）、およびパーソナルコンピュータである。
【００１６】
例えば、耳装着型装置１ａを装着しているユーザが高齢者である場合、ユーザと遠く離れて暮らすユーザの家族は、サーバ２からユーザの家族が所有する外部装置１４に通知される情報を参照することにより、ユーザの状態を知ることができる。また例えば、耳装着型装置１ａを装着しているユーザの状態を示す情報を取得したサーバ２が、第３者機関（かかりつけの病院、ユーザが所属している自治体、ユーザを支援するサービス団体等）、および民生委員が所有する外部装置１４に、ユーザの状態を示す情報を通知することにより、ユーザを支援するサービスを強化することができる。また例えば、耳装着型装置１ａは、他の外部装置（テレビなどの家電製品、電気自動車、健康機器など）と通信することで、他の外部装置を操作することも可能である。
【００１７】
また、例えば、耳装着型装置１ａを装着したユーザが、外部装置（携帯端末）１０を携帯している場合、耳装着型装置１ａと外部装置（携帯端末）１０との通信は、Bluetooth（登録商標）などの近距離無線通信にて行われ、外部装置（携帯端末）１０とサーバ２との通信は、既存の通信方式にて行われてもよい。また例えば、異なる２つの耳装着型装置が、近距離で互いと通信を行う場合、近距離無線通信が用いられてもよい。なお、用いられる通信方式は、特に限定されない。
【００１８】
（情報提供システムの要部構成）
図１は、本発明の一実施形態に係る情報提供システムＡの要部構成の一例を示すブロック図である。図１に示されるように、情報提供システムＡは、耳装着型装置１およびサーバ２を備える。耳装着型装置１とサーバ２とは、外部装置（携帯端末）１０を介して通信可能となっている。本実施形態では、耳装着型装置１ａを装着したユーザが、外部装置（携帯端末）１０を携帯している場合を想定している。なお、上述したように、耳装着型装置１ａの通信先は、外部装置（携帯端末）１０に限定されない。例えば、耳装着型装置１を装着したユーザが、外部装置（携帯端末）１０を携帯していない場合、耳装着型装置１とサーバ２とは直接通信してもよい。
【００１９】
また、本実施形態では、サーバ２の制御部８が、耳装着型装置１が検出したユーザの身体状態を示す身体状態情報に応じたフィードバック情報を決定するものとして説明するが、これに限定しない。すなわち、制御部８の機能は、耳装着型装置１に備えられていてもよいし、図２の（ｂ）にて示した耳装着型装置１と通信可能な通信先（例えば、携帯端末）に備えられていてもよい。
【００２０】
（耳装着型装置の要部構成）
図１に示されるように、耳装着型装置１は、入力部（検出手段）３、制御部４、通信部（送信手段、受信手段）５および出力部６を備える。入力部３はユーザの身体状態を検出し、制御部４は入力部３が検出したユーザの身体状態に対応する機能を実行し、出力部６は制御部４が実行する機能を出力する。
【００２１】
入力部３は、ユーザの身体状態を検出する各種センサを備える。入力部３は、外耳道入力部３１と耳殻入力部３２とを備える。外耳道入力部３１および耳殻入力部３２は、図２の（ａ）に示した耳殻内側部１１および耳殻外側部１２に各々備えられる。外耳道入力部３１は、ユーザの外耳道（耳の穴）からユーザの身体状態を検出するものである。入力部３が備える各種センサのうち、ユーザの外耳道から検出する方がより正確にユーザの身体状態を検出できるセンサは、外耳道入力部３１に備えられる。
【００２２】
例えば、ユーザの体温を計測する場合、ユーザの耳（耳殻）の外から計測するよりも、ユーザの耳の穴の中（外耳道）から計測する方が、より正確に行える。また例えば、外気温を計測する場合、ユーザの耳の穴の中（外耳道）から計測するよりも、ユーザの耳（耳殻）の外から計測する方が、より正確に行える。
【００２３】
図１に示されるように、外耳道入力部３１は、光学式距離センサ３１ａ、脈波センサ３１ｂおよび体温センサ３１ｃを備える。光学式距離センサ３１ａは、耳装着型装置１を装着したユーザの外耳道の形状を検出するものである。光学式距離センサ３１ａの詳細については、図４にて後述する。脈波センサ３１ｂは、ユーザの脈派を検出するものである。体温センサ３１ｃは、ユーザの体温を検出するものである。
【００２４】
耳殻入力部３２は、マイク３２ａ、加速度センサ３２ｂ、外気温センサ３２ｃ、ＧＰＳセンサ３２ｄ、傾きセンサ３２ｅ、地磁気センサ３２ｆおよび気圧センサ３２ｇを備える。マイク３２ａは、ユーザの音声を入力するものである。加速度センサ３２ｂは、ユーザの移動を検出するものである。外気温センサ３２ｃは、ユーザの周囲の気温を検出するものである。ＧＰＳセンサ３２ｄは、人工衛星などからの電波によってユーザの位置を検出するものである。傾きセンサ３２ｅは、ユーザの傾きを検出するものである。例えば、角速度センサ（Gyroセンサ）を傾きセンサ３２ｅとして用いることができる。地磁気センサ３２ｆは、ユーザの向いている向き（方位）を検出するものである。気圧センサ３２ｇは、ユーザの周囲の気圧を検出するものである。
【００２５】
制御部４は、取得部４１、操作状態判定部（操作状態判定手段）４２、変換部（変換手段）４３および機能実行部（機能実行手段）４４を備える。取得部４１は、入力部３が検出したユーザの身体状態を示す身体状態情報を、入力部３から取得する。そして、取得部４１は、取得した身体状態情報を通信部５に通知する。また、入力部３が検出したユーザの身体状態が、ユーザが意図した操作を行った状態であるか否かを判定するという設定の場合、取得部４１は、取得したユーザの身体状態情報を操作状態判定部４２に通知する。
【００２６】
操作状態判定部４２は、取得部４１から通知された身体状態情報により示される身体状態が、ユーザが機能実行部４４による機能の実行を意図した操作を行った状態であるか否かを判定する。取得部４１から通知された身体状態情報が、ユーザが意図した操作を行った身体状態であることを示す場合、操作状態判定部４２は、ユーザが意図した操作を行ったことを示す操作情報を、通信部５に通知する。
【００２７】
変換部４３は、通信部５から通知された情報を所定の信号に変換する。機能実行部４４は、通信部５から通知されたフィードバック情報に基づいて、ユーザの身体状態に対応する機能を実行する。また、機能実行部４４は、変換部４３から通知された信号に基づいて、変換部４３が変換した信号に対応する機能を実行する。そして、機能実行部４４は、出力部６に通知する。
【００２８】
出力部６は、振動部６１、スピーカ６２および骨伝導部６３を備えており、機能実行部４４が実行する機能を出力する。例えば、機能実行部４４から通知される情報が、耳つぼマッサージを行うことを示す場合、振動部６１は、機能実行部４４から通知された情報に従って、ユーザの耳の所定のつぼに振動を与える。機能実行部４４から通知される情報が音声を示す場合、スピーカ６２は、機能実行部４４から通知された情報の内容を、音声に変換して、ユーザに伝達する。また、スピーカ６２ではなく、骨伝導部６３を用いてユーザに伝達することが設定されている場合、骨伝導部６３は、機能実行部４４から通知された情報の内容を、骨導超音波に変換して、ユーザに伝達する。
【００２９】
通信部５は、耳装着型装置１と通信可能な各種外部装置との通信を行う（図２の（ｂ）参照）。図１に示される例では、通信部５は外部装置（携帯端末）１０を介して、サーバ２と通信する。例えば、通信部５は、操作状態判定部４２が判定した操作情報を含む、入力部３が検出したユーザの身体状態を示す身体状態情報を、外部装置１０を介して、サーバ２に送信する。また、通信部５は、耳装着型装置１が通知した身体状態情報に応じて決定されたフィードバック情報を、外部装置１０を介して、サーバ２から受信する。
【００３０】
（サーバの要部構成）
図１に示されるように、サーバ２は、通信部（送信手段、受信手段）７、制御部８および情報蓄積部９を備える。通信部７は、サーバ２と通信可能な各種外部装置との通信を行う（図２の（ｂ）参照）。図１に示される例では、外部装置（携帯端末）１０を介して耳装着型装置１と通信する。例えば、通信部７は、耳装着型装置１が判定した操作情報を含む、耳装着型装置１が検出したユーザの身体状態を示す身体状態情報を、外部装置１０を介して、耳装着型装置１から受信する。また、サーバ２は、耳装着型装置１が通知した身体状態情報に応じて決定されたフィードバック情報を、外部装置１０を介して、耳装着型装置１に送信する。
【００３１】
制御部８は、解析部８１、推定部（推定手段）８２およびフィードバック情報決定部（フィードバック情報決定手段）８３を備える。解析部８１は、通信部７が受信した、操作情報を含む身体状態情報を取得し、情報蓄積部９に蓄積する。解析部８１は、蓄積した情報から、ユーザの身体状態を解析する。
【００３２】
推定部８２は、解析部８１が取得した身体状態情報に基づいてユーザの生活リズムを推定し、推定したユーザの生活リズム情報を情報蓄積部９に蓄積する。ここで、ユーザの生活リズムとは、ユーザの食事時間、ユーザの運動時間、ユーザのストレス度などを含むユーザの生活全般に関する情報である。また、推定部８２が、推定した生活リズムに基づいて、さらにユーザの食事時間を推定した場合、推定した食事時間を示す食事時間情報を情報蓄積部９に蓄積する。なお、推定部８２が推定するために使用する情報は、情報蓄積部９に蓄積された身体状態情報を用いてもよい。
【００３３】
フィードバック情報決定部８３は、推定部８２が推定したユーザの生活リズム情報と、情報蓄積部９に蓄積されたユーザの身体状態情報とを比較し、ユーザの身体状態情報に応じたフィードバック情報を決定する。例えば、現在の時刻が生活リズム情報の食事時間内であることを示し、かつユーザの身体状態情報が食事をしていないことを示す場合、「そろそろ食事だよ」などとユーザに伝達することを示すフィードバック情報を決定する。そして、フィードバック情報決定部８３は、フィードバック情報決定部８３が決定したフィードバック情報を通信部７に通知し、情報蓄積部９に蓄積する。
【００３４】
情報蓄積部９は、制御部８から通知される情報を蓄積するものである。主に、情報蓄積部９には、解析部８１が取得した身体状態情報９１と、推定部８２が推定した生活リズム情報９２および食事時間情報９３と、フィードバック情報決定部８３が決定したフィードバック情報９４とが蓄積される。
【００３５】
（ユーザの身体状態に基づく機能実行処理）
図３は、情報提供システムＡの処理の一例を示すフローチャートである。図３に示されるように、耳装着型装置１は、ユーザの身体状態を検出する処理、およびユーザの身体状態情報に応じた機能を実行する処理を行い、サーバ２は、ユーザの身体状態情報に応じたフィードバック情報を決定する処理を行う。
【００３６】
耳装着型装置１において、入力部３はユーザの身体状態を検出する（Ｓ１１）。そして、通信部５は、入力部３が検出したユーザの身体状態を示す身体状態情報を、外部装置（携帯端末）１０を介してサーバ２に送信する（Ｓ１２）。
【００３７】
次に、サーバ２において、通信部７は、耳装着型装置１が検出したユーザの身体状態を示す身体状態情報を、外部装置１０を介して受信する（Ｓ２１）。そして、解析部８１または推定部８２は、通信部７が受信した身体状態情報を解析する（Ｓ２２）。なお、Ｓ２２の一例については、図６にて詳細に後述する。Ｓ２２の後、フィードバック情報決定部８３は、ユーザの身体状態情報に応じたフィードバック情報を決定する（Ｓ２３）。Ｓ２３の後、通信部７は、フィードバック情報決定部８３が決定したフィードバック情報を、外部装置（例えば、外部装置１０を介して耳装着型装置１）に送信する（Ｓ２４）。
【００３８】
そして、耳装着型装置１において、通信部５は、サーバ２が決定したフィードバック情報を、外部装置１０を介して受信する（Ｓ１３）。Ｓ１３の後、機能実行部４４は、通信部５が受信したフィードバック情報に従って、ユーザの身体状態に基づく機能を実行する（Ｓ１４）。
【００３９】
〔実施形態１〕
本実施形態では、耳装着型装置１を装着したユーザの外耳道の動きに基づいて、当該ユーザの生活リズムおよび食事時間を推定している。
【００４０】
（外耳道入力部）
図４は、外耳道入力部３１をユーザの外耳道に挿入した状態の一例を示す図である。図４に示されるように、光学式距離センサ３１ａは、光（例えば赤外線）を発光し、ユーザの外耳道および鼓膜で反射された光を受光する。例えば、光学式距離センサ３１ａはフォトリフレクタで構成され、使用される赤外線は約９４０ナノメートルの波長である。
【００４１】
光学式距離センサ３１ａが挿入されたユーザが、顔の表情を変化させると、ユーザの顔の表情に連動してユーザの外耳が動き、外耳道の形状および鼓膜の位置が変化する。このため、ユーザの外耳の動きに伴って、光学式距離センサ３１ａが受光する反射光の強度は変化する。すなわち、当該反射光の強度の変化を用いることにより、外耳の動きを検知し、顔の表情を推定することが可能となっている。例えば、奥歯の噛みしめ、頷き、瞬き、目の動き等を推定することが可能である。
【００４２】
本実施形態では、光学式距離センサ３１ａを用いて外耳の動きを検知し、ユーザの咀嚼の有無を判定し、ユーザの食事時間を推定する。
【００４３】
（生活リズム）
図５は、ユーザの生活リズムに関するデータを示したグラフである。図５の（ａ）は、
光学式距離センサ３１ａが計測した信号ａの電圧値について時間変化の一例を示すグラフである。図５の（ａ）に示されるように、光学式距離センサ３１ａは、所定時間（例えば、１／１０秒）毎に外耳の動きを計測する。
【００４４】
例えば、ユーザの顔の表情に大きな変化（例えば、咀嚼）がない場合、ユーザの外耳の動きは小さいため、ｔ＝１における点ａ１とｔ＝２における点ａ２との電圧差のように、電圧差は小さい。また、ユーザの顔の表情に大きな変化がある場合、ユーザの外耳の動きは大きいため、ｔ＝２における点ａ２とｔ＝３における点ａ３との電圧差のように、電圧差は大きい。なお、光学式距離センサ３１ａが計測する所定時間は、例えば、耳装着型装置１に備えられたＰＩＣ（Peripheral Interface Controller）（不図示）により決定される。ＰＩＣを用いた場合、計測間隔が変動することがあるため、１秒間に９回の計測となることがある。
【００４５】
図５の（ｂ）は、ユーザの生活リズムについて、時間変化の一例を示す図である。図に示される生活の特徴の値（以下、生活特徴量）は、図５の（ａ）に示された計測データに基づいて５分毎に算出されており、光学式距離センサ３１ａが計測した計測データの平均値と分散とを足し合わせた値である。なお、詳細な生活特徴量の算出方法については、図６にて後述する。
【００４６】
図５の（ｂ）に示されるデータは、連続した７日分の生活特徴量を、同時刻において足し合わせたデータである。図に示されるデータからユーザの生活リズムを推定することが可能となる。例えば、時間１１：００〜１３：００のうち時間１２：１０〜１２：３０において、それ以外の時間帯における生活特徴量の値と有意な差を有する高い値が示されるため、時間１２：１０〜１２：３０にユーザが咀嚼しているということが推定される。また、生活特徴量の値の大きさから、ユーザの咀嚼の強度が推定される。
【００４７】
また、図５の（ｂ）に示されるような生活特徴量を足し合わせたデータは、異なる日の生活特徴量を同時刻において足し合わせたデータであればよい。例えば、曜日毎に食事時間が異なるユーザの場合、同一曜日の生活特徴量を足し合わせてもよい。この他にも、所定期間における連続した日の生活特徴量を足し合わせてもよいし、同一季節における異なる日の生活特徴量を足し合わせてもよい。このように、ユーザの生活に合わせて、異なる日の生活特徴量を同時刻において足し合わせることにより、より正確にユーザの生活リズムを推定することができる。
【００４８】
図５の（ｃ）は、生活リズムから推定されたユーザの食事時間の一例を示す図である。図に示される食事時間は、図５の（ｂ）に示された生活特徴量に基づいて算出されている。なお、詳細な食事時間の算出方法については、図６にて後述する。図５の（ｃ）に示されるように、時間１１：００〜１３：００のうち、食事データの値が１を示す時間１２：１１〜１２：３０において、ユーザが食事をしていることが推定される。例えば、連続した７日間における食事時間は、時間１２：１１〜１２：３０であると推定される。
【００４９】
図５の（ｄ）は、図５の（ｃ）にて食事時間を推定されたユーザが実際に食事をした時間の平均の一例を示す図である。例えば、図に示された時間１２：１２〜１２：２６は、図５の（ｂ）の生活特徴量の足し合わせに用いられた日（連続した７日間）において、ユーザが実際に食事をした時間の平均を示す。
【００５０】
（食事時間の推定処理）
図６は、図３におけるＳ２２の処理の一例を示すフローチャートである。本処理は、光学式距離センサ３１ａが検出した計測データに基づいて、ユーザの生活リズム（図５の（ｂ）参照）、およびユーザの食事時間（図５の（ｃ）参照）を推定する処理（解析処理）である。当該解析処理は、サーバ２（図１参照）側にて行われる設定として説明するが、耳装着型装置１（図１参照）側にて行われる設定としてもよいし、外部装置１０（例えば、携帯端末）側にて行われる設定としてもよい。
【００５１】
図６に示されるように、推定部８２は、光学式距離センサ３１ａが計測した、所定期間の計測データＡｉ（ｉ＝１，２，３，…）を、取得する（Ｓ１０１）。例えば、図５の場合、推定部８２は、１週間において時間１１：００〜１３：００に計測された計測データＡｉを取得する。なお、計測データＡｉは、光学式距離センサ３１ａが計測する度に取得されてもよいし、一日単位で一括して取得されてもよいし、所定時間毎に一括して取得されてもよい。また、推定部８２が取得する計測データＡｉは、身体状態情報として、任意のタイミングで情報蓄積部９に蓄積されてもよい。以下の説明において、計測データＡｉは、一日単位の計測データとする。
【００５２】
次に、推定部８２は、以下の式（１）を満たす計測値Ａｉを抽出する（Ｓ１０２）。
Ｓ１＜Ａｉ＜Ｓ２          ・・・式（１）
ただし、Ｓ１はＡｉの平均値に０．７を乗じた閾値とし、Ｓ２はＡｉの平均値に１．３を乗じた閾値とする。
【００５３】
そして、推定部８２は、Ｓ１０２にて抽出した計測値Ａｉを、計測された時刻の順に、抽出値Ｂｊ（ｊ＝１，２，３，…）として各々設定する（Ｓ１０３）。
【００５４】
Ｓ１０３の後、推定部８２は、式（２）に基づいて、抽出値Ｂｊの変化量Ｃｋ（ｋ＝ｊ−１）を算出する（Ｓ１０４）。
Ｃｋ＝｜Ｂｊ＋１−Ｂｊ｜          ・・・式（２）
Ｓ１０４の後、推定部８２は、Ｓ１０４にて算出した変化量Ｃｋを用いて、所定時間（例えば５分間）内に計測された値Ａｉから算出された変化量Ｃｋから、式（３）に基づいて、生活特徴量Ｄｌを算出する（Ｓ１０５）。
【００５５】
【数１】
2015153102.tif 000003
・・・式（３）
Ｓ１０５の後、推定部８２は、Ｓ１０５にて算出した生活特徴量Ｄｌと、異なる日の生活特徴量Ｄｌとを、同時刻について足し合わせ、生活リズムデータＥｌを算出する（Ｓ１０６）。そして、推定部８２は、生活リズムＥｌについてグラフを作成する（Ｓ１０７）。例えば、図５の（ｂ）は、１週間分の生活特徴量Ｄｌを足し合わせることにより算出した生活リズムＥｌについて時間変化を示すグラフである。なお、推定部８２が推定した生活リズムＥｌを示す生活リズム情報は、任意のタイミングで情報蓄積部９に蓄積される。
【００５６】
次に、推定部８２は、生活リズムデータＥｌが、以下の式（４）を満たすか否かを、値Ｅｌ毎に判定する（Ｓ１０８）。例えば、図５の（ｂ）の場合、５分単位で算出された値毎に判定する。
Ｔ＜Ｅｌ          ・・・式（４）
ただし、Ｔは、生活リズムデータＥｌの最大値から生活リズムデータＥｌの最小値を差し引いた値に、０．５を乗じた閾値とする。
【００５７】
Ｓ１０８にてＹＥＳの場合、推定部８２はＥｌを食事データＦｌ＝１として設定し（Ｓ１０９）、Ｓ１０８にてＮＯの場合、推定部８２はＥｌを食事データＦｌ＝０として設定する（Ｓ１１０）。そして、推定部８２は、所定期間内の食事データＦｌの変化についてグラフを作成し（Ｓ１１１）、Ｓ１１１にて作成されたグラフから、ユーザの食事時間を推定する（Ｓ１１２）。
【００５８】
例えば、図５の（ｃ）は、Ｓ１１１にて作成された、１週間におけるユーザの食事時間の時間変化を示すグラフであり、図５の（ｃ）に示されたグラフから、ユーザの食事時間は１２：１１〜１２：３０であることを推定する。なお、推定部８２が推定した食事時間を示す食事時間情報は、任意のタイミングで情報蓄積部９に蓄積される。
【００５９】
図５の（ｃ）と図５の（ｄ）に示された食事時間を比較すると、推定された食事時間と、実際の食事時間との誤差は小さい。これは、耳装着型装置１を装着したユーザが、規則正しい時間に食事をしている場合は、図５の（ｂ）に示されるように、生活特徴量のデータが、食事をしている近辺の時間（１２：０５〜１２：３５）において、それ以外の時間帯における生活特徴量の値（０．０５）と有意な差を有する高い値を示すためである。このため、耳装着型装置１を装着したユーザが、規則正しい時間に食事をする場合、ユーザの外耳の動きに基づいてユーザの食事時間をほぼ正確に推定することは可能となっている。
【００６０】
また、耳装着型装置１を装着したユーザが、規則正しい時間に食事をしない場合、図５の（ｂ）に示されるような高い生活特徴量の値が示される時間帯が表れず、食事時間を正確に推定できないことがある。この場合には、推定部８２は、ユーザは規則正しい時間に食事していないと推定することができる。
【００６１】
〔実施形態２〕
本発明の他の実施形態について、図１１および図１２に基づいて以下に説明する。なお、説明の便宜上、上記実施形態にて説明した部材と同じ機能を有する部材については、同じ符号を付記し、その説明を省略する。
【００６２】
本実施形態は、耳装着型装置１が取得したデータに基づいて提供されるサービスの一例である。以下では、ヘルスケアサービス、エンターテインメントサービス、生活情報サービス、および第３者機関への情報提供サービスに分けて説明する。また、提供されるサービスは、サーバ２から提供されることを想定しているが、サーバ２からのサービスに限定するものではなく、図２の（ｂ）に示される耳装着型装置１と通信可能な通信先からのサービスでもよい。
【００６３】
（実施例１：ヘルスケアサービス）
本実施例は、耳装着型装置１に備えられた各種センサが検出したデータに基づいて、耳装着型装置１を装着したユーザの身体状態に対応する機能として提供されるヘルスケアサービスである。以下に説明するヘルスケアサービスは、栄養指導、体調管理、疾病予防、ストレス解消およびスポーツサポートを含む。
【００６４】
＜栄養指導＞
栄養指導は、ユーザのダイエットなどに役立てるサービスである。例えば、サーバ２は、耳装着型装置１の光学式距離センサ３１ａが検出したデータから、ユーザの食事時間および咀嚼の強度などを推定し、推定した結果からユーザの摂取カロリを算出し、栄養に関するフィードバック情報を決定する。
【００６５】
より具体的には、サーバ２にて算出された摂取カロリが、ユーザの普段の摂取カロリよりも高い場合、サーバ２は、「食べ過ぎない方がいいよ」などとユーザに伝達することを示す情報を、フィードバック情報として決定する。そして、耳装着型装置１は、サーバ２が決定したフィードバック情報に基づいて、スピーカ６２を用いて「食べ過ぎない方がいいよ」などとユーザに伝達する。また、サーバ２にて推定された食事時間が、ユーザの普段の食事時間よりも短い場合、サーバ２は、「よく噛んで食べてね」などとユーザに伝達する情報を、フィードバック情報として決定する。そして、耳装着型装置１は、サーバ２が決定したフィードバック情報に基づいて、スピーカ６２を用いて「よく噛んで食べてね」などとユーザに伝達する。
【００６６】
＜体調管理＞
体調管理は、ユーザの体調が良好であることを維持するためのサービスである。例えば、サーバ２は、耳装着型装置１の脈波センサ３１ｂ、体温センサ３１ｃ、および外気温センサ３２ｃが検出したデータから、ユーザの体調の変化を推定し、体調に関するフィードバック情報を決定する。
【００６７】
より具体的には、耳装着型装置１が検出したデータが、ユーザの周囲の温度が高く、ユーザの体温が高く、かつユーザの脈波が速い場合、サーバ２は、ユーザが熱中症の状態であると推定し、「水分を摂らなきゃ」などとユーザに伝達することを示す情報を、フィードバック情報として決定する。また、サーバ２によって推定された体調の変化が、ユーザの体温の上昇である場合、サーバ２は、ユーザは風邪をひき始めていると推定し、「暖かくしようよ」などとユーザに伝達することを示す情報を、フィードバック情報として決定する。また、耳装着型装置１が検出したデータが、女性の基礎体温である場合、サーバ２は、女性の生理現象に特有のフィードバック情報を決定する。
【００６８】
＜疾病予防＞
疾病予防は、ユーザの身体の諸機能に障害が生じることを予防するためのサービスである。例えば、サーバ２が、ユーザはリウマチ、神経痛または気管支炎等の症状にあると推定する場合、諸症状に対応した耳つぼを刺激するマッサージを示す情報をフィードバック情報として決定する。そして、耳装着型装置１の振動部６１は、サーバ２が決定したフィードバック情報に基づいて、ユーザの耳を刺激する。
【００６９】
また例えば、サーバ２は、耳装着型装置１のマイク３２ａが検出したデータから、ユーザは睡眠中にいびきをかいているか否かなどの症状を解析し、ユーザは睡眠時無呼吸症候群の状態にあるか否かを推定する。そして、サーバ２が、ユーザは睡眠時無呼吸症候群の状態にあると推定した場合、耳装着型装置１がユーザのいびきを検出した際には、サーバ２は、ユーザの耳を刺激するマッサージ開始を示す情報を、フィードバック情報として決定する。次に、耳装着型装置１の振動部６１は、サーバ２が決定したフィードバック情報に基づいて、ユーザの耳を刺激する。睡眠中のユーザの耳に不意の刺激を与えることにより、睡眠中のユーザは、無意識のうちに首の向きを変更させることが予想される。このため、睡眠中のユーザは無意識のうちに気道を確保し、睡眠中のユーザの無呼吸状態を防ぐことができる。
【００７０】
＜ストレス解消＞
ストレス解消は、ユーザの心身に悪影響を及ぼすストレスを軽減させるサービスである。例えば、サーバ２は、耳装着型装置１の脈波センサ３１ｂが検出したデータから、ユーザのストレスの程度を推定する。そして、サーバ２によって推定されたストレスの程度が、ユーザの心身に悪影響を及ぼす程度の場合、サーバ２は、ヒーリング効果のあるクラシック音楽の配信を開始することを示す情報をフィードバック情報として決定する。
【００７１】
＜スポーツサポート＞
スポーツサポートは、ユーザが運動している最中に提供するサービスである。例えば、サーバ２は、耳装着型装置１のＧＰＳセンサ３２ｄが検出したデータから、ユーザのウォーキングまたはランニングのペースを推定し、推定されたペースに対応したアドバイスをユーザに音声で伝達することを示すフィードバック情報を決定する。
【００７２】
また例えば、ユーザが登山を趣味としている場合、サーバ２は、耳装着型装置１の脈波センサ３１ｂ、ＧＰＳセンサ３２ｄおよび気圧センサ３２ｇが検出したデータから、ユーザが低体温症または高山病の状態にあるか否かを推定し、フィードバック情報を決定する。また、ユーザが登山中に遭難した場合には、サーバ２は、耳装着型装置１のＧＰＳセンサ３２ｄおよび気圧センサ３２ｇが検出したデータから、ユーザの位置情報を推定し、救助に向かう第３者機関などにユーザの位置情報を提供する。遭難したユーザが救助されるまでの間、サーバ２は、「今、救助がくるよ。がんばって！」などとユーザに音声で伝達することを示す情報をフィードバック情報として決定してもよい。
【００７３】
また例えば、ユーザがロコモ体操、太極拳またはヨガなどを趣味としている場合、サーバ２は、耳装着型装置１の加速度センサ３２ｂおよび傾きセンサ３２ｅが検出したデータから、ユーザが適切なポーズまたはバランスにある状態であるか否かを推定し、ユーザが適切なポーズまたはバランスを維持できるようなアドバイスをユーザに伝達するための情報をフィードバック情報として決定する。また、サーバ２は、ユーザが行なったポーズまたはバランスが、どの程度適切であったか示す点数を付け、点数に応じたフィードバック情報を決定してもよい。
【００７４】
（実施例２：エンターテイメントサービス）
本実施例は、耳装着型装置１が検出したユーザの身体状態が、ユーザが意図した操作を行った状態であるか否かを判定するという設定の場合、耳装着型装置１を装着したユーザの意図した操作に対応する機能として提供されるエンターテインメントサービスである。以下に説明するエンターテインメントケアサービスは、音楽配信、音楽指導、検索機能、音量調節、観光ガイド、イベントガイドおよび助言サービスを含む。
【００７５】
（ユーザ操作による機能実行処理）
図７は、情報提供システムＡの処理の一例を示すフローチャートである。図７に示されるように、耳装着型装置１は、ユーザの身体状態を検出する処理、およびユーザの意図した操作に応じた機能を実行する処理を行い、サーバ２は、ユーザの意図した操作を示す操作情報に応じたフィードバック情報を決定する処理を行う。
【００７６】
耳装着型装置１において、入力部３はユーザの身体状態を検出する（Ｓ３１）。そして、操作状態判定部４２は、入力部３が検出したユーザの身体状態は、ユーザが機能実行部４４による機能の実行を意図した操作を行った状態であるか否かを判定する（Ｓ３２）。Ｓ３２にてＹＥＳの場合、通信部５は、Ｓ３２にて判定された操作情報を含む、入力部３が検出したユーザの身体状態を示す身体状態情報を、外部装置（携帯端末）１０を介してサーバ２に送信する（Ｓ３３）。一方、Ｓ３２にてＮＯの場合、Ｓ３１からの処理を繰り返す。
【００７７】
ここで、操作情報は、ユーザのどのような動作状態が何を示すかについて予め設定されているものとする。例えば、入力部３がユーザの奥歯の噛みしめを検出した場合、操作状態判定部４２は、ユーザの奥歯の噛みしめを示す身体状態情報は、ＹＥＳを示す操作情報であると判定する。また例えば、例えば、入力部３がユーザの首振りを検出した場合、操作状態判定部４２は、ユーザの首振りを示す身体状態情報は、ＮＯを示す操作情報であると判定する。また例えば、入力部３がユーザの瞬きを検出した場合、操作状態判定部４２は、ユーザの瞬きを示す身体状態情報は、サーバ２から提供されるサービスの開始を示す操作情報であると判定する。
【００７８】
次に、サーバ２において、通信部７は、耳装着型装置１が判定した操作情報を含む、耳装着型装置１が検出したユーザの身体状態を示す身体状態情報を、外部装置１０を介して受信する（Ｓ４１）。そして、解析部８１または推定部８２は、通信部７が受信した、Ｓ３２にて判定された操作情報を含む身体状態情報を解析する（Ｓ４２）。Ｓ４２の後、フィードバック情報決定部８３は、操作情報およびユーザの身体状態情報に応じたフィードバック情報を決定する（Ｓ４３）。Ｓ４３の後、通信部７は、フィードバック情報決定部８３が決定したフィードバック情報を、外部装置（例えば、外部装置１０を介して耳装着型装置１）に送信する（Ｓ４４）。
【００７９】
そして、耳装着型装置１において、通信部５は、サーバ２が決定したフィードバック情報を、外部装置１０を介して受信する（Ｓ３４）。Ｓ３４の後、機能実行部４４は、通信部５が受信したフィードバック情報に従って、ユーザの身体状態に基づく機能を実行する（Ｓ３５）。
【００８０】
＜音楽配信＞
音楽配信は、ユーザの操作に応じてユーザに音楽を配信するサービスである。例えば、生活リズム情報が、現在の時間はユーザの通勤時間であることを示す場合、サーバ２は、ユーザが退屈する時間であると推定し、「音楽を聴く？」などとユーザに伝達する情報を、フィードバック情報として決定する。そして、耳装着型装置１が、ユーザの頷き、瞬きまたは音声による指示を検出した場合、ユーザが機能の実行を意図した操作を行った身体状態であると判定し、操作情報を含む身体状態情報を、外部装置１０を介してサーバ２に送信する。なお、操作情報が、ＹＥＳまたはＮＯの何れかを示す状態であるかは、予め設定されていることとする。
【００８１】
次に、サーバ２は、操作情報がＹＥＳの状態を示す場合、ユーザの身体状態に応じた音楽をユーザに配信することを示す情報を、フィードバック情報として決定する。より具体的には、身体状態情報がユーザの気持ちが高揚していることを示す場合、サーバ２は、アップテンポな音楽をユーザに配信することを示す情報を、フィードバック情報として決定してもよい。一方、操作情報がＮＯの状態を示す場合、「じゃあ、最新のニュースを聴く？」などとユーザに伝達する情報を、フィードバック情報として決定してもよい。
【００８２】
＜音楽指導＞
音楽指導は、ユーザが音楽をする場合に提供するサービスである。例えば、ユーザが歌っている場合を想定する。サーバ２は、耳装着型装置１が検出したユーザの音声データが、どの音程を示すかを解析し、「サビのところで声が低いよ。昨日はパーフェクトだったのになあ。」などとユーザに音声で伝達することを示す情報をフィードバック情報として決定する。また、例えば、ユーザが楽器のチューニングを行う場合を想定する。サーバ２は、耳装着型装置１が検出した楽器の音声データが、どの音程を示すかを解析し、ユーザのチューニングが正しく行われるようなアドバイスを、ユーザに音声で伝達することを示すフィードバック情報を決定する。このような構成にすると、絶対音感のないユーザにとって、チューニング作業の負担が軽減される。
【００８３】
＜検索機能＞
検索機能は、ユーザの操作に応じて、ユーザが所望の情報を検索するサービスである。例えば、生活リズム情報が、現在の時刻がユーザの食事時間帯であることを示す場合、サーバ２は、「今日の食事はどこで食べる？近くのお店を調べようか？」などとユーザに音声で伝達することを示すフィードバック情報を決定する。そして、サーバ２が、ＹＥＳの状態を示すユーザの操作情報を受信した場合、サーバ２は、お店を検出し、リストアップしたお店の名前をユーザに音声で伝達することを示すフィードバック情報を決定する。さらに、サーバ２が、ＹＥＳの状態を示すユーザの操作情報を受信した場合、ユーザが所望するお店の予約を行う。
【００８４】
サーバ２がリストアップするお店は、サーバ２の情報蓄積部９に蓄積されている各種情報に基づいて、ユーザの好みのお店について推定されてもよいし、ユーザの健康状態が良好であることを維持するためのお店について推定されてもよい。また、食事のお店の検索だけでなく、ショッピングのお店を検索してもよいし、ユーザが旅行している場合、ユーザが観光する場所を検索するサービスであってもよいし。
【００８５】
＜音量調節＞
音量調節は、ユーザが装着している耳装着型装置１と通信している外部装置の音量を調節するサービスである。例えば、ユーザが家事をしながら、ＴＶ（外部装置）の音声を耳装着型装置１から聞いている場合、ユーザの操作情報に応じて、ＴＶの音量が調節されてもよい。また、音量調節だけでなく、ユーザの操作情報に応じて、ＴＶなどの外部装置が操作されてもよい。すなわち、耳装着型装置１は、従来のリモートコントロールの役割を担っていてもよい。
【００８６】
＜観光ガイド・イベントガイド＞
観光ガイド・イベントガイドは、ユーザが観光している土地、またはユーザが参加しているイベントについて案内を行うサービスである。例えば、ユーザが観光している場合、サーバ２は、ユーザの操作情報に応じて、ユーザが観光している土地の情報（観光雑誌等に掲載されている情報など）の内容をユーザに音声で伝達することを示すフィードバック情報を、決定する。また、例えば、ユーザが美術館などで絵画鑑賞している場合、ユーザの操作情報に応じて、ユーザが鑑賞している絵画の情報（絵画の作者、絵画に対する一般的な評価など）の内容をユーザに音声で伝達することを示すフィードバック情報を、決定する。また例えば、ユーザが空を見上げて星を眺めている場合、サーバ２は、ユーザの見ている方向にある星座の情報の内容をユーザに音声で伝達することを示すフィードバック情報を、決定する。
【００８７】
このため、ユーザが事前に学習していなくとも、ユーザが所望する知識をリアルタイムで提供するサービスが可能となる。
【００８８】
＜助言サービス＞
助言サービスは、ユーザの感情に応じて、ユーザの心に響く言葉をユーザの好みの音声で提供するサービスである。例えば、ユーザの身体状態情報が、ユーザは悲しい感情を持っていることを示す場合、サーバ２は、「癒してあげるよ」などとユーザの最も心を寄せる人の音声でユーザに伝達することを示す情報を、フィードバック情報として決定する。
【００８９】
（実施例３：生活情報サービス）
本実施例は、耳装着型装置１に備えられたセンサが検出したデータに基づいて、耳装着型装置１を装着したユーザの身体状態に対応する機能として提供される生活情報サービスである。以下に説明する生活情報サービスは、自動配信サービス、翻訳機能サービス、イベント運営サービスを含む。
【００９０】
＜自動配信サービス＞
自動配信サービスは、ユーザの生活全般に関わる有益な情報を配信するサービスである。例えば、ユーザがバスを利用しようとしている場合、サーバ２は、ＧＰＳセンサの情報を含むユーザの身体状態情報から、ユーザの最も近くにあるバス停と、ユーザが利用できるバスの運行時刻とを、ユーザに音声で伝達することを示すフィードバック情報を決定する。また、例えば、サーバ２は、ユーザが位置する土地の気象情報、および最新のニュースなどをユーザに音声で伝達することを示すフィードバック情報を、決定する。
【００９１】
＜翻訳機能サービス＞
翻訳機能サービスは、耳装着型装置１を装着したユーザに対して翻訳した内容を提供するサービスである。例えば、耳装着型装置１を装着したユーザの使用する言語と、当該ユーザと会話をする人間の使用する言語とが異なる場合、サーバ２は、ユーザが話した内容を、ユーザと会話をする人間の使用する言語を用いて翻訳し、翻訳した内容を音声でユーザと会話をする人間に伝達することを示すフィードバック情報を、決定する。また、サーバ２は、ユーザと会話をする人間が話した内容を、ユーザの使用する言語を用いて翻訳し、翻訳した内容を音声でユーザに伝達することを示すフィードバック情報を、決定する。
【００９２】
このため、ユーザは、ユーザが知らない言語を学習しなくとも、ユーザが知らない言語を使用する人間とリアルタイムに会話をすることができる。
【００９３】
＜イベント運営サービス＞
イベント運営サービスは、予め設定されたグループにおいて、メンバー同士がイベントを運営する際に、当該メンバーのやりとりを補助するサービスである。例えば、演劇、ダンス、プレゼンテーション、アナウンス実況などに使用される、ヘッドフォンにマイクが取り付けられたヘッドセット（通称、インカム）の代用として使用することも可能である。インカムとして使用される２つの耳装着型装置を、耳装着型装置セットを呼称する。以下に、耳装着型装置セットについて、図８および９を用いて説明する。
【００９４】
（耳装着型装置セット）
図８は、耳装着型セットの要部構成の一例を示すブロック図である。図８に示されるように、第１耳装着型装置１ａと第２耳装着型装置１ｂとは、直接通信可能である。各々の第１耳装着型装置１ａおよび第２耳装着型装置１ｂは、異なるユーザに装着されるものとする。
【００９５】
第２耳装着型装置１ｂにおいて、入力部３ｂは、第２耳装着型装置１ｂを装着しているユーザの身体状態を検出する。制御部４ｂの取得部４１ｂは、入力部３ｂが検出したユーザの身体状態を示す身体状態情報を取得する。制御部４ｂの操作状態判定部４２ｂは、取得部４１ｂが取得した身体状態情報が、第２耳装着型装置１ｂを装着しているユーザが機能実行部４４による機能の実行を意図した操作を行った状態であるか否かを判定する。取得部４１ｂが取得した身体状態情報が、ユーザが意図した操作を行った身体状態であることを示す場合、操作状態判定部４２ｂは、ユーザが意図した操作を行ったことを示す身体状態情報を、通信部５ｂに通知する。通信部５ｂは、第２耳装着型装置１ｂを装着しているユーザが意図した操作を行ったことを示す身体状態情報を、第１耳装着型装置１ａに送信する。
【００９６】
第１耳装着型装置１ａにおいて、通信部５ａは、第２耳装着型装置１ｂが判定した身体状態情報を第２耳装着型装置１ｂから受信する。制御部４ａの変換部４３ａは、通信部５ａが受信した身体状態情報を所定の信号に変換する。制御部４ａの機能実行部４４ａは、変換部４３ａが変換した信号に基づいて、変換部４３ａが変換した信号に対応する機能を実行する。出力部６ａは、機能実行部４４ａから通知される信号に従って、所定の出力を行う。
【００９７】
（耳装着型装置セットの機能実行処理）
図９は、耳装着型装置セットにおける処理の一例を示すフローチャートである。図９に示されるように、第２耳装着型装置１ｂにおいて、入力部３ｂは、第２耳装着型装置１ｂを装着しているユーザの身体状態を検出する（Ｓ５１）。そして、操作状態判定部４２ｂは、取得部４１ｂが取得した身体状態情報が、第２耳装着型装置１ｂを装着しているユーザが機能実行部４４による機能の実行を意図した操作を行った状態であるか否かを判定する（Ｓ５２）。Ｓ５２にてＹＥＳの場合、通信部５ｂは、第２耳装着型装置１ｂを装着しているユーザが意図した操作を行ったことを示す身体状態情報を、第１耳装着型装置１ａに送信する（Ｓ５３）。
【００９８】
次に、第１耳装着型装置１ａにおいて、通信部５ａは、第２耳装着型装置１ｂが判定した身体状態情報を第２耳装着型装置１ｂから受信する（Ｓ６１）。そして、制御部４ａは、通信部５ａが受信した身体状態情報を解析する（Ｓ６２）。Ｓ６２の後、変換部４３ａは、通信部５ａが受信した身体状態情報を所定の信号に変換する（Ｓ６３）。Ｓ６３の後、機能実行部４４ａは、変換部４３ａが変換した信号に対応する機能を実行する（Ｓ６３）。
【００９９】
例えば、第２耳装着型装置１ｂを装着しているユーザが頷いた場合、第１耳装着型装置１ａは、第１耳装着型装置１ａを装着しているユーザに、「ステージ上手に照明」などと伝達する。なお、耳装着型装置セットにおける処理は、第１耳装着型装置１ａおよび第２耳装着型装置１ｂが行う処理を分けて限定するものではなく、互いに同一の処理を行うことが可能なものとする。
【０１００】
（実施例４：各団体への情報提供サービス）
本実施例は、耳装着型装置１に備えられたセンサが検出したデータに基づいて、各団体へ情報を提供するサービスである。なお、各団体へ提供されるデータは、個人情報を保護した形式で提供されるものとする。
【０１０１】
図２の（ｂ）にて前述したように、耳装着型装置１ａは各種外部装置と通信可能である。このため、耳装着型装置１ａが検出したユーザの身体状態を示す身体状態情報は、例えばサーバ２に蓄積される。サーバ２には、複数のユーザの身体状態に関する情報が蓄積されており、サーバ２は、第３者機関に当該蓄積された情報を提供することができる。
【０１０２】
（情報の蓄積処理）
図１０は、耳装着型装置１が検出したユーザの身体状態を示す身体状態情報と、ユーザの身体状態情報に基づいて決定されるフィードバック情報とが蓄積される処理の一例を示すフローチャートである。
【０１０３】
図１０に示されるように、耳装着型装置１において、入力部３はユーザの身体状態を検出する（Ｓ７１）。そして、通信部５は、入力部３が検出したユーザの身体状態を示す身体状態情報を、外部装置（携帯端末）１０を介してサーバ２に送信する（Ｓ７２）。
【０１０４】
次に、サーバ２において、通信部７は、耳装着型装置１が検出したユーザの身体状態を示す身体状態情報を、外部装置１０を介して受信する（Ｓ８１）。そして、解析部８１は、通信部７が受信した身体状態情報を情報蓄積部９に蓄積する（Ｓ８２）。また、解析部８１または推定部８２は、通信部７が受信した身体状態情報を解析し（Ｓ８３）、解析した情報を情報蓄積部９に蓄積する。フィードバック情報決定部８３は、ユーザの身体状態情報に応じたフィードバック情報を決定する（Ｓ８４）。Ｓ８４の後、フィードバック情報決定部８３は、決定されたフィードバック情報を情報蓄積部９に蓄積する（Ｓ８５）。なお、Ｓ８２、Ｓ８３およびＳ８４の処理は、任意の順に行われてよいものとする。
【０１０５】
＜情報提供例１＞
例えば、ユーザが高齢者である場合、サーバ２を用いる情報提供サービスの運営者が、サーバ２の情報蓄積部９を用いて、ユーザの身体状態情報を病院などの第３者機関に提供する。これにより、ユーザの身体状態に関する情報を提供された病院は、ユーザの問診を行うことなく、ユーザの健康状態を管理することができる。
【０１０６】
また例えば、ユーザに実験段階の薬品が投薬された場合、サーバ２を用いる情報提供サービスの運営者が、薬品を実験している製薬会社および大学などの第３者機関に、実験段階の薬品が投薬されたユーザの身体状態に関する情報としてサーバ２の情報蓄積部９に蓄積された情報を提供する。これにより、ユーザの身体状態に関する情報を提供された製薬会社および大学などの第３者機関は、ユーザを拘束しない状態で、ユーザのより詳細な実験データを取得し、実験段階の薬品を改良させることができる。
【０１０７】
＜情報提供例２＞
例えば、サーバ２を用いる情報提供サービスの運営者は、ユーザである高齢者の身体状態に関する情報を各種行政機関に提供してもよい。これにより、行政機関は、耳装着型装置を装着している高齢者の身体状態を管理することができる。また、行政機関は、耳装着型装置を装着している高齢者が生活しやすい街づくりを実施することに役立てることができる。なお、サーバ２から行政機関に提供される情報は、高齢者から取得された情報に限定しなくてもよい。例えば、耳装着型装置を装着している全員のユーザの身体状態に関する情報であってもよい。これにより、行政機関は、インフルエンザなどが流行っている地域を推定し、インフルエンザ予防警報などを発令することができる。
【０１０８】
＜情報提供例３＞
例えば、耳装着型装置を装着したユーザに音楽が配信された場合、配信された音楽を聴いているユーザの身体状態を示す身体状態情報を、情報蓄積部９に蓄積する。そして、サーバ２が配信した音楽と、配信された音楽を聴いたユーザの身体状態情報（体温、脈拍など）とから、サーバ２は、どの音楽においてユーザの気分がどの程度高揚したかを解析する。さらに、サーバ２は、サーバ２が解析した結果から、ユーザ毎の音楽評価（ユーザの身体状態より判断される、配信された音楽に対するユーザの好みの程度）を推定する。サーバ２は、複数のユーザの音楽評価から、ユーザの年代別などの音楽評価を示す情報を作成し、作成したユーザの年代別の音楽評価を示す情報を音楽配信サービス事業へ提供してもよい。
【０１０９】
これにより、音楽配信サービス事業などの第３者機関は、ユーザが言葉にできない感動などを把握することができ、事業展開に活用することができる。
【０１１０】
〔実施形態３〕
本発明の他の実施形態について、図１１および図１２に基づいて以下に説明する。なお、説明の便宜上、上記実施形態にて説明した部材と同じ機能を有する部材については、同じ符号を付記し、その説明を省略する。本実施形態は、身体器官の機能に何らかの障害を持つ障がい者を支援するためのサービスである。以下では、視覚障がい者に対するサービスについて説明するが、視覚以外の機能に障害をもつ障がい者（例えば、聴覚障がい者）に対するサービスでもよい。
【０１１１】
（障がい者のための情報提供システムの要部構成）
図１１は、本発明の一実施形態に係る、障がい者を支援するための情報提供システムの要部構成の一例を示すブロック図である。本実施形態では、サーバ２ａが、耳装着型装置１から検出されたユーザの身体状態を示す身体状態情報に基づいて、身体状態情報に応じたフィードバック情報を決定する。そして、耳装着型装置１を装着したユーザを支援するための外部装置１０ａ（例えば、ロボットなどの自走式装置や、病院等において設置されている情報配信装置）、および耳装着型装置１のうち少なくとも一方が、サーバ２が決定したフィードバック情報に基づいて、ユーザの身体状態に応じた機能を実行することを想定している。なお、外部装置１０ａは、予めユーザの近くに配置されているものとする。
【０１１２】
図１１に示されるように、情報提供システムＡ’は、耳装着型装置１およびサーバ２ａを備える。耳装着型装置１は、外部装置（携帯端末）１０を介して、サーバ２ａと通信可能である。なお、情報提供システムＡ’との通信先は、図１１に示される例に限定されず、図２の（ｂ）に示される通信先を利用してもよい。
【０１１３】
サーバ２ａは、通信部７、制御部８ａおよび情報蓄積部９ａを備える。制御部８ａは、解析部８１、推定部８２およびフィードバック情報決定部８３ａを備える。フィードバック情報決定部８３ａは、耳装着型装置１を装着したユーザが障がい者である場合に、ユーザの身体状態情報に応じた、ユーザの安全を確保するためのフィードバック情報を決定する。そして、フィードバック情報決定部８３ａは、フィードバック情報決定部８３ａが決定したフィードバック情報を通信部７に通知し、情報蓄積部９ａに蓄積する。情報蓄積部９ａは、制御部８ａから通知される情報を蓄積するものである。主に、情報蓄積部９には、解析部８１が取得した身体状態情報９１と、推定部８２が推定した生活リズム情報９２および食事時間情報９３と、フィードバック情報決定部８３ａが決定したフィードバック情報９４ａとが蓄積される。
【０１１４】
外部装置（ロボット）１０ａは、耳装着型装置１、外部装置（携帯端末）１０およびサーバ２ａのうち少なくとも一方と通信可能となっている。外部装置１０ａが、耳装着型装置１を装着したユーザの近くに配置されている場合、外部装置１０ａは、ユーザの近くに移動して、ユーザの安全を確保するサービスを提供する。
【０１１５】
（障がい者の身体状態に基づく機能実行処理）
図１２は、情報提供システムＡ’が障がい者を支援する処理の一例を示すフローチャートである。図１２に示されるように、耳装着型装置１は、図３にて上述したＳ１１〜Ｓ１４の処理を行う。サーバ２ａは、図３にて上述したＳ２１〜Ｓ２４の処理を行う。外部装置１０ａ（ロボット）は、障がい者であるユーザの安全を確保するための支援処理を行う。
【０１１６】
外部装置１０ａ（ロボット）は、サーバ２ａが決定したフィードバック情報のうち、外部装置１０ａがユーザを支援するために実行すべき機能を示す情報を支援情報として受信する（Ｓ９１）。そして、外部装置１０ａは、受信した支援情報に従って、ユーザの身体状態に基づく支援機能を実行する（Ｓ９２）。
【０１１７】
例えば、ユーザが視覚障がい者である場合、サーバ２ａにおいてＳ２３で決定されるフィードバック情報は、「この先に階段があるよ」と耳装着型装置１を用いてユーザに音声で伝達することを示す情報、および当該階段でユーザが転倒しないように、外部装置１０ａにユーザを支援させることを示す情報である。そして、耳装着型装置１におけるＳ１４では、Ｓ２３にて決定されたフィードバック情報に基づいて、スピーカ６２が「この先に階段があるよ」とユーザに伝達する。また、外部装置１０ａにおけるＳ９２では、Ｓ２３にて決定されたフィードバック情報に基づいて、外部装置１０ａはユーザに近くに移動し、ユーザの前方にある階段でユーザが転倒しないように支援する。
【０１１８】
また例えば、ユーザが聴覚障がい者である場合、耳装着型装置１のスピーカ６２を用いずに、骨伝導部６３を用いる設定としてもよい。
【０１１９】
さらに、耳装着型装置１および外部装置１０ａにより実行されるユーザの身体状態に基づく機能として、以下のような機能も想定される。すなわち、Ｓ２２で身体状態情報を解析した結果、ユーザの食事時間が近づいていると推定されるのであれば、耳装着型装置１が「もうすぐ食事時間だよ。この先の階段があるので注意して下さい。また、食堂へは右側のエレベータが安全で便利です。ロボットがもうすぐ来てくれますよ。」などとユーザに伝達する機能を実行してもよい。さらに、外部装置１０ａが、ユーザの近くに移動してユーザが階段で転倒しないように支援するとともに、食堂までユーザに付き添う機能を実行してもよい。
【０１２０】
また、上記の記載においては、外部装置１０ａとしてロボットを想定しているが、もちろん、外部装置１０ａとしてはロボットではなく据置型の情報配信装置を用いることも可能である。外部装置１０ａとして情報配信装置を用いる場合、例えば、以下のような機能を情報配信装置に実行させることが想定される。すなわち、上述のような食事時間が近づいている視覚障がい者が階段に近づいている状況を想定する。この場合、外部装置１０ａとしての情報配信装置は、上記の状況を、患者状況を管理するためにナースセンタに設置されたコンピュータに送信する機能を実行する。これにより、ナースセンタから、看護師等を視覚障がい者の近くに直ぐ向かわせ、なおかつ食堂まで案内させることができる。
【０１２１】
なお、外部装置１０ａを用いなくても、耳装着型装置１およびサーバ２ａにより、障がい者を支援するための機能は実現可能である。例えば、耳装着型装置１のユーザが、「交差点」や「地下道への階段」等の注意を要する地点を含めた地図情報の配信を意図する操作として、奥歯の噛みしめ、頷き等を行う。そして、このような操作をユーザが行ったこと示す操作情報と、ＧＰＳセンサ３２ｄからユーザの現在位置を示す情報とを含む身体状態情報と、耳装着型装置１から外部装置１０経由でサーバ２ａに送信する。
【０１２２】
そして、サーバ２ａは、上述のような身体状態情報を受信したら、フィードバック情報として地図情報を注意を要する地点を含めてユーザに伝達することを示すフィードバック情報として決定し、耳装着型装置１に送信する。そして、耳装着型装置１は、上述のフィードバック情報を受信し、「この先１０ｍ進むと交差点があります。ご注意ください」などとユーザに伝達する。このようにすれば、必ずしも外部装置１０ａを用いなくても、耳装着型装置１およびサーバ２ａを用いて障がい者の支援は可能である。
【０１２３】
〔ソフトウェアによる実現例〕
サーバ２の制御ブロック（特に解析部８１、推定部８２およびフィードバック情報決定部８３）は、集積回路（ＩＣチップ）等に形成された論理回路（ハードウェア）によって実現してもよいし、ＣＰＵ（Central Processing Unit）を用いてソフトウェアによって実現してもよい。
【０１２４】
後者の場合、サーバ２は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭ（Random Access Memory）などを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１２５】
〔まとめ〕
本発明の態様１に係る耳装着型装置は、耳に装着される耳装着型装置であって、ユーザの身体状態を検出する検出手段と、上記検出手段が検出した上記ユーザの身体状態を示す身体状態情報に応じて決定されたフィードバック情報に基づいて、上記ユーザの身体状態に対応する機能を実行する機能実行手段と、を備える。
【０１２６】
上記構成によれば、検出手段により、ユーザの身体状態を多面的かつ的確に検出することができる。したがって、機能実行手段により実行される機能についても、検出手段により多面的かつ的確に検出されたユーザの身体状態に応じて、バリエーション豊富でなおかつユーザの身体状態に的確に整合したものとできる。これにより、ユーザにとって利便性の高い状態で多面的かつ的確に得られるユーザの身体状態を最大限活用することができる。
【０１２７】
本発明の態様２に係る耳装着型装置は、上記態様１において、上記検出手段が検出した上記ユーザの身体状態を示す身体状態情報を、外部装置に送信する送信手段と、外部装置により決定された、上記身体状態情報に応じたフィードバック情報を受信する受信手段と、を備えていてもよい。
【０１２８】
上記構成によれば、耳装着型装置の送信手段により送信された身体状態情報に基づいて、ユーザの身体状態に対応する機能を実行するためのフィードバック情報が外部装置により決定される。そして、耳装着型装置は、フィードバック情報を受信手段により受信すれば、機能実行手段によりユーザの身体状態に対応する機能を実行できる。すなわち、フィードバック情報を決定する処理を外部装置にて行うことで、耳装着型装置における処理負担を軽減し、耳装着型装置をコンパクトかつ軽量なものとすることができる。
【０１２９】
本発明の態様３に係る耳装着型装置は、上記態様２において、上記検出手段は、上記ユーザの身体状態として、上記ユーザの外耳の動きに係る状態を検出するものであり、上記フィードバック情報は、上記検出手段が検出した外耳の動きに係る状態から推定された生活リズムを用いて決定されたものであり、上記機能実行手段は、上記フィードバック情報に基づいて、上記ユーザの生活リズムに対応する機能を実行してもよい。
【０１３０】
食事の際に咀嚼すると、ユーザの顔の動きに連動して外耳が動く。このユーザの外耳の動きに係る状態を検出することにより、本発明者らは、ユーザの食事時間を的確に把握できることを鋭意研究の結果見出した。そして、ユーザの食事時間は、そのユーザの生活リズムを把握するための重要な１指標であるので、食事時間を的確に把握すれば、生活リズムも的確に把握できるといえる。
【０１３１】
したがって、上記構成によれば、検出手段によりユーザの外耳の動きに係る状態が検出されるので、ユーザの食事時間が的確に把握され、これに伴い生活リズムも的確に把握できる。そして、的確に把握された生活リズムを用いて決定されたフィードバック情報に基づいて、機能実行手段により実行される機能を、ユーザの生活リズムに的確に対応させることができる。
【０１３２】
本発明の態様４に係る耳装着型装置は、上記態様１において、上記検出手段が上記ユーザの身体状態として検出した外耳の動きに係る状態から、上記ユーザの生活リズムを推定する推定手段と、上記推定手段が推定した生活リズムに対応するフィードバック情報を決定するフィードバック情報決定手段と、を備えていてもよい。
【０１３３】
上記構成によれば、機能実行手段により実行される機能を、ユーザの生活リズムに的確に対応させることができる。しかも、耳装着型装置に備えられた推定手段およびフィードバック情報決定手段により、生活リズムの推定処理およびフィードバック情報の決定処理が行なわれるので、身体状態情報を外部装置に送信する処理およびフィードバック情報を受信する処理を省略することができる。これにより、耳装着型装置により消費される電力を低減することができる。
【０１３４】
本発明の態様５に係る耳装着型装置は、上記態様４において、上記推定手段は、上記外耳の動きに係る状態を示す計測データについて、所定の許容範囲内に含まれているか否かの判定を行い、当該許容範囲に含まれる計測データの時間的変化量に基づき、上記ユーザの生活リズムを推定してもよい。
【０１３５】
上記構成において、ユーザが食事をしている際に示され得る計測データの範囲と経験的に得られている範囲に、所定の許容範囲を設定すれば、食事をしていない時間における計測データを棄却した上で生活リズムの推定を行うことができるので、生活リズムの推定の精度を向上させることができる。
【０１３６】
本発明の態様６に係る耳装着型装置は、上記態様５において、上記推定手段は、さらに、所定時間内の上記時間的変化量に係る平均値と分散とに基づく値である生活特徴量を用いて上記ユーザの生活リズムを推定してもよい。
【０１３７】
上記構成において、所定時間内における計測データの時間的変化量の平均値は、その所定時間内における計測データの変化の大きさを示す指標として機能する。また、所定時間内における計測データの時間的変化量の分散は、その所定時間内における計測データの変化のばらつきを示す指標として機能する。そして、これら２つの指標に基づく生活特徴量を用いて生活リズムを推定することにより、生活リズムの推定の精度を向上させることができる。
【０１３８】
本発明の態様７に係る耳装着型装置は、上記態様６において、上記推定手段は、さらに、異なる日の同時刻に係る上記生活特徴量を足し合わることで、一定期間における生活リズムデータを算出し、その生活リズムデータに基づいて、上記ユーザの生活リズムを推定してもよい。
【０１３９】
上記構成によれば、リアルタイムに生活リズムを推定するのではなく、生活リズムデータを算出する一定期間を例えば１週間とすることで長期的に生活リズムを推定することが可能となり、ユーザのプライバシーを保護できる。
【０１４０】
本発明の態様８に係る耳装着型装置は、上記態様１から４のいずれか１態様において、上記検出手段が検出した上記ユーザの身体状態が、上記ユーザが上記機能実行手段による機能の実行を意図した操作を行った状態であることを判定する操作状態判定手段を備え、上記機能実行手段は、上記操作状態判定手段が判定した状態に対応する機能を実行してもよい。
【０１４１】
上記構成によれば、ユーザが機能実行手段による機能の実行を意図した操作として、奥歯の噛みしめ、頷き等を行いさえすれば、操作状態判定手段によりその操作をユーザが行ったことが判定され、機能実行手段によりユーザの意図する操作に対応した機能が実行される。これにより、ユーザは、完全にアイズフリーかつハンズフリーな状態で、種々の機能を実行によるサービスを享受することができる。
【０１４２】
本発明の態様９に係る耳装着型装置セットは、上記態様８における耳装着型装置の構成を備える第１耳装着型装置と、上記第１耳装着型装置と通信可能であって上記態様８における耳装着型装置の構成を備える第２耳装着型装置とを含む、耳装着型装置セットであって、上記第１耳装着型装置は、上記第２耳装着型装置に備えられた操作状態判定手段により判定された、上記第２耳装着型装置のユーザが意図した操作を行った状態であることを示す情報を受信する受信手段と、上記受信手段が受信した上記状態を示す情報を、所定の信号に変換する変換手段とを備え、上記第１耳装着型装置の機能実行手段は、さらに、上記第１耳装着型装置の変換手段が変換した信号に対応する機能を実行してもよい。
【０１４３】
上記構成の耳装着型装置セットによれば、第２耳装着型装置のユーザが、第１耳装着型装置のユーザと意思疎通を行うことを意図して奥歯の噛みしめや頷きなどの操作を行うだけで、第２耳装着型装置のユーザの操作に対応する機能が第１耳装着型装置において実行される。これにより、第１耳装着型装置のユーザと、第２耳装着型装置のユーザとの意思疎通を実現できる。このような耳装着型装置セットを用いれば、例えば電車内や舞台裏などでユーザ同士が身振りや手振りで意思疎通しづらい状況であっても、ユーザ同士がお互いの意思疎通を行うことができる。
【０１４４】
本発明の態様１０に係るサーバは、耳に装着される耳装着型装置にて検出されたユーザの身体状態を示す身体状態情報を受信する受信手段と、上記受信手段が受信した上記身体状態情報に応じたフィードバック情報を決定するフィードバック情報決定手段と、上記フィードバック情報決定手段が決定したフィードバック情報を、外部装置に送信する送信手段と、を備える。
【０１４５】
上記構成によれば、耳装着型装置で多面的かつ的確に検出された身体状態に応じてフィードバック情報が決定されるので、フィードバック情報も、ユーザの身体状態に応じてバリエーション豊富でなおかつ身体状態に的確に整合したものとなる。したがって、このフィードバック情報を外部装置に送信することにより、そのフィードバック情報を受信した外部装置において、多面的かつ的確に得られるユーザの身体状態を最大限活用することができる。
【０１４６】
さらに、フィードバック情報を決定する処理がサーバで行われるので、フィードバック情報の受信先となる外部装置においてフィードバック情報を決定する処理を行う必要がなく、外部装置における処理負担を軽減できる。
【０１４７】
本発明の態様１１に係るサーバは、上記態様１０において、上記受信手段が上記身体状態情報として受信した、上記ユーザの外耳の動きに係る状態を示す情報から、上記ユーザの生活リズムを推定する推定手段と、上記推定手段が推定した生活リズムに対応するフィードバック情報を決定するフィードバック情報決定手段と、を備えていてもよい。
【０１４８】
上記構成によれば、ユーザの外耳の動きからユーザの食事時間が的確に把握され、これに伴い生活リズムも的確に把握できる。したがって、フィードバック情報もユーザの生活リズムに的確に対応させて決定することができる。
【０１４９】
本発明の態様１２に係るサーバは、上記態様１１において、上記推定手段は、上記外耳の動きに係る状態を示す計測データについて、所定の許容範囲内に含まれているか否かの判定を行い、当該許容範囲に含まれる計測データの時間的変化量に基づき、上記ユーザの生活リズムを推定してもよい。
【０１５０】
上記構成によれば、上記態様５と同様の効果を奏する。
【０１５１】
本発明の態様１３に係るサーバは、上記態様１２において、上記推定手段は、さらに、所定時間内の上記時間的変化量に係る平均値と分散とに基づく値である生活特徴量を用いて上記ユーザの生活リズムを推定してもよい。
【０１５２】
上記構成によれば、上記態様６と同様の効果を奏する。
【０１５３】
本発明の態様１４に係るサーバは、上記態様１３において、上記推定手段は、さらに、異なる日の同時刻に係る上記生活特徴量を足し合わることで、一定期間における生活リズムデータを算出し、その生活リズムデータに基づいて、上記ユーザの生活リズムを推定してもよい。
【０１５４】
上記構成によれば、上記態様７と同様の効果を奏する。
【０１５５】
本発明の態様１５に係るサーバは、上記態様１０において、上記受信手段は、障がい者の身体状態を示す身体状態情報を受信するものであり、上記フィードバック情報決定手段は、上記障がい者の身体状態を示す身体状態情報に応じて、上記障がい者の安全を確保するためのフィードバック情報を決定してもよい。
【０１５６】
上記構成によれば、障がい者の身体状態を的確に対応させてフィードバック情報が決定されるので、障がい者の安全を身体状態に応じて適切に確保することができる。特に、障がい者は健常者よりも、身体状態を慎重にケアする必要があるので、障がい者の安全を確保するために非常に有用といえる。
【０１５７】
本発明の態様１６に係るプログラムは、耳に装着される耳装着型装置にて検出されたユーザの身体状態を示す身体状態情報を受信する受信ステップと、上記受信ステップにて受信された上記身体状態情報に応じて決定されたフィードバック情報に基づいて、上記ユーザの身体状態に対応する機能を実行する機能実行ステップとを、コンピュータに実行させる。
【０１５８】
上記構成のプログラムをコンピュータにて実行することにより、そのコンピュータにおいて、バリエーション豊富でなおかつユーザの身体状態に的確に整合した機能を実行できる。したがって、ユーザにとって利便性の高い状態で多面的かつ的確に得られるユーザの身体状態を、そのコンピュータにおいて最大限活用することができる。
【０１５９】
本発明の態様１７に係る情報提供システムは、耳に装着される耳装着型装置と、当該耳装着型装置と通信可能なサーバとから構成される情報提供システムであって、上記耳装着型装置は、ユーザの身体状態を検出する検出手段と、上記検出手段が検出した上記ユーザの身体状態を示す身体状態情報を、外部装置に送信する送信手段と、を備え、上記サーバは、上記送信手段により送信された上記身体状態情報を受信する受信手段と、上記受信手段が受信した上記身体状態情報に応じたフィードバック情報を決定するフィードバック情報決定手段と、上記フィードバック情報決定手段が決定したフィードバック情報、および上記身体状態情報の少なくとも一方を蓄積する情報蓄積部と、を備えている。
【０１６０】
上記構成によれば、ユーザにとって利便性の高い状態で多面的かつ適切に取得される身体状態情報、あるいはその身体状態に的確に対応してなおかつバリエーション豊かなフィードバック情報が、サーバの情報蓄積部に蓄積される。この情報蓄積部に蓄積された情報を第３者機関に提供すれば、その第３者機関において身体状態情報やフィードバック情報を活用して種々のサービスを提供することが可能となる。
【０１６１】
本発明の態様１８に係る情報提供システムは、耳に装着される耳装着型装置と、当該耳装着型装置と通信可能なサーバとから構成される情報提供システムであって、上記耳装着型装置は、ユーザの身体状態として上記ユーザの外耳の動きに係る状態を検出する検出手段と、上記ユーザの外耳の動きに係る状態を示す情報をユーザの身体状態を示す身体状態情報として外部装置に送信する送信手段とを備え、上記サーバは、上記送信手段により送信された上記身体状態情報を受信する受信手段と、上記受信手段が受信した上記身体状態情報により示される上記ユーザの外耳の動きに係る状態から、上記ユーザの生活リズムを推定する推定手段と、上記推定手段が推定した生活リズムに対応するフィードバック情報を決定するフィードバック情報決定手段と、上記フィードバック情報、および上記身体状態情報の少なくとも一方を外部装置に送信する送信手段と、を備えている。
【０１６２】
上記構成によれば、上記態様３における耳装着型装置および上記態様１０におけるサーバと同様の効果を得ることができる。
【０１６３】
本発明の態様１９に係る情報提供システムは、上記態様１７または１８において、上記受信手段は、障がい者の身体状態を示す身体状態情報を受信するものであり、上記フィードバック情報決定手段は、上記障がい者の身体状態を示す身体状態情報に応じて、上記障がい者の安全を確保するためのフィードバック情報を決定してもよい。
【０１６４】
上記構成によれば、障がい者の安全を確保するために有用な情報提供システムを実現できる。
【０１６５】
本発明の各態様に係るサーバは、コンピュータによって実現してもよく、この場合には、コンピュータを上記サーバが備える各手段として動作させることにより上記サーバをコンピュータにて実現させるサーバの制御プログラム、およびそれを記録したコンピュータ読み取り可能な記録媒体も、本発明の範疇に入る。
【０１６６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１６７】
本発明によれば、耳装着型装置から得られるユーザの身体状態を最大限活用し、種々のサービスに適用することが可能となる。例えば上述の実施形態に記載したような、生活リズムの推定結果を利用した各種のヘルスケアサービス、エンターテインメントサービス、情報提供サービスや、高齢者および障がい者を支援するサービスに本発明を利用することができる。さらに、本発明はこのようなサービス以外にも適用できる可能性を秘めており、産業上の利用可能性は計り知れない。
【符号の説明】
【０１６８】
１，１ａ，１ｂ  耳装着型装置
２，２ａ  サーバ
３，３ｂ  入力部（検出手段）
３１  外耳道入力部（検出手段）
３１ａ  光学式距離センサ（検出手段）
３１ｂ  脈波センサ（検出手段）
３１ｃ  体温センサ（検出手段）
３２  耳殻入力部（検出手段）
３２ａ  マイク（検出手段）
３２ｂ  加速度センサ（検出手段）
３２ｃ  外気温センサ（検出手段）
３２ｄ  ＧＰＳセンサ（検出手段）
３２ｅ  傾きセンサ（検出手段）
３２ｆ  地磁気  センサ（検出手段）
３２ｇ  気圧センサ（検出手段）
４，４ａ，４ｂ  制御部
４１，４１ｂ  取得部
４２，４２ｂ  操作状態判定部（操作状態判定手段）
４３，４３ａ  変換部（変換手段）
４４，４４ａ  機能実行部（機能実行手段）
５，５ａ，５ｂ  通信部（送信手段、受信手段）
６，６ａ  出力部
６１  振動部
６２  スピーカ
６３  骨伝導部
７  通信部（送信手段、受信手段）
８，８ａ  制御部
８１  解析部
８２  推定部（推定手段）
８３，８３ａ  フィードバック情報決定部（フィードバック情報決定手段）
９，９ａ  情報蓄積部
９１  身体状態情報
９２  生活リズム情報
９３  食事時間情報
９４  フィードバック情報
１０，１０ａ，１４  外部装置
Ａ，Ａ’  情報提供システム
【図１】
2015153102.tif 000004
【図２】
2015153102.tif 000005
【図３】
2015153102.tif 000006
【図４】
2015153102.tif 000007
【図５】
2015153102.tif 000008
【図６】
2015153102.tif 000009
【図７】
2015153102.tif 000010
【図８】
2015153102.tif 000011
【図９】
2015153102.tif 000012
【図１０】
2015153102.tif 000013
【図１１】
2015153102.tif 000014
【図１２】
2015153102.tif 000015